(57)【要約】      （修正有）【課題】乗り物のフロントエンドおよびリアエンドに設けられるクラッシュ吸収構造を提供する。【解決手段】乗り物クラッシュレール１００は、第１エンド１１０と第２エンド１１２との間の軸に沿って少なくとも部分的に押しつぶされるように構成されるボディ１０２を備え、ボディ１０２が、実質的に四角形状の第１、第２、第３セル１０６Ａ−１０６Ｃを備える断面プロファイルを有し、第１、第２、第３セル１０６Ａ−１０６Ｃの少なくとも１つが、第１エンド１１０から第２エンド１１２まで延び、第１、第２、第３セル１０６Ａ−１０６Ｃが、それぞれ、クラッシュパターンに従って配置されたイニシエータ１２２を備える。【選択図】図１
2019011053.tif 000002
【特許請求の範囲】
【請求項１】
第１エンドと第２エンドとの間の軸に沿って少なくとも部分的に押しつぶされるように構成されるボディを備え、
前記ボディが、実質的に四角形状の第１、第２、第３セルを備える断面プロファイルを有し、
前記第１、第２、第３セルの少なくとも１つが、第１エンドから第２エンドまで延び、
前記第１、第２、第３セルが、それぞれ、クラッシュパターンに従って配置されたイニシエータを備えることを特徴とする乗り物クラッシュレール。
【請求項２】
前記イニシエータが、前記ボディにくぼみ（indentation）を備えることを特徴とする請求項１に記載の乗り物クラッシュレール。
【請求項３】
前記くぼみの少なくとも１つが、丸められた部分で結合する２つの平行な側を有することを特徴とする請求項２に記載の乗り物クラッシュレール。
【請求項４】
前記くぼみの少なくとも１つが、前記ボディの外面に配置されていることを特徴とする請求項２に記載の乗り物クラッシュレール。
【請求項５】
前記くぼみの少なくとも１つが、圧による変形部（swage）を有することを特徴とする請求項２に記載の乗り物クラッシュレール。
【請求項６】
前記イニシエータのいくつかは、互いに相対的にずれていることを特徴とする請求項１に記載の乗り物クラッシュレール。
【請求項７】
前記クラッシュパターンが、セルそれぞれの面に渡って延び、
前記ずれが、互いに隣り合う面にあるイニシエータが軸に沿ってずれているようなずれを含むことを特徴とする請求項６に記載の乗り物クラッシュレール。
【請求項８】
前記断面プロファイルが、列状に位置が定められる前記第１、第２、第３セルを有し、
前記第１セルが、前記第１セルの対向面に第１イニシエータを有するとともに、その対向面の間の面に第２イニシエータを有し、前記第１イニシエータは前記第１エンドと隣り合い、前記第２イニシエータは前記第１エンドから離れていて、
前記第２セルが、前記第２セルの対向面に第３イニシエータを有し、前記第３イニシエータは前記第１エンドと隣り合い、そして、
前記第３セルが、前記第１セルの対向面に第４イニシエータを有するとともに、その対向面の間の面に第５のイニシエータを有し、前記第４イニシエータは前記第１エンドに隣り合い、前記第５イニシエータが前記第１エンドから離れていることを特徴とする請求項７に記載の乗り物クラッシュレール。
【請求項９】
乗り物のフロントエンドに装着されていることを特徴とする請求項１に記載の乗り物クラッシュレール。
【請求項１０】
前記フロントエンドが、少なくとも２つのクラッシュレールに装着されたバンパーシステムを備えることを特徴とする請求項９に記載の乗り物クラッシュレール。
【請求項１１】
前記バンパーシステムが、前記乗り物クラッシュレールそれぞれの端部板に装着されており、前記端部板が、前記バンパーシステムを運転面から特定高さに位置決め可能にすることを特徴とする請求項１０に記載の乗り物クラッシュレール。
【請求項１２】
前記フロントエンドにおいて直上に装着されていて、ドライブシャフトが通る開口部を有することを特徴とする請求項９に記載の乗り物クラッシュレール。
【請求項１３】
乗り物サブフレームを保持するように構成されていることを特徴とする請求項９に記載の乗り物クラッシュレール。
【請求項１４】
前記ボディが、アルミ押出し成形部を有することを特徴とする請求項１に記載の乗り物クラッシュレール。
【請求項１５】
前記断面プロファイルが、列状に位置が定められる前記第１、第２、第３セルを有することを特徴とする請求項１に記載の乗り物クラッシュレール。
【請求項１６】
前記クラッシュパターンが、前記乗り物クラッシュレールの長さを通じて共通の変形モードを備えることを特徴とする請求項１に記載の乗り物クラッシュレール。
【請求項１７】
前記変形モードが、前記ボディにおいて内側変形と外側変形の交互部分を有することを特徴とする請求項１６に記載の乗り物クラッシュレール。
【請求項１８】
前記内側変形と前記外側変形が、クラッシュセクションにおいて現れ、
第１のクラッシュセクションが、前記乗り物クラッシュレールの各側面に、２つの内側変形とその間に１つの外側変形とを有し、
前記第１のクラッシュセクションの隣の第２のクラッシュセクションが、前記乗り物クラッシュレールの各側面に、２つの外側変形とその間に１つの内側変形とを有することを特徴とする請求項１７に記載の乗り物クラッシュレール。
【発明の詳細な説明】
【背景技術】
【０００１】
一般的に乗り物は、静止している物あるいは動いている物に乗り物がぶつかる結果、あるいは、何か（例えば他の乗り物）との出会い頭事故によって、大きな衝突の可能性という方向に目を向けて、設計されている。この理由から、クラッシュ吸収構造が、乗り物のフロントエンドおよびリアエンドに設けられる。
【発明の概要】
【０００２】
第１の側面では、乗り物クラッシュレールは、第１エンドと第２エンドとの間の軸に沿って少なくとも部分的に押しつぶされるように構成されるボディを備え、ボディが、実質的に四角形状の第１、第２、第３セルを備える断面プロファイルを有し、第１、第２、第３セルの少なくとも１つが、第１エンドから第２エンドまで延び、第１、第２、第３セルが、それぞれ、乗り物クラッシュレールに対するクラッシュパターンに従って配置されたイニシエータを備える。
【０００３】
実施は、以下の任意あるいはすべての特徴を備えることできる。イニシエータは、ボディにくぼみ（indentation）を備える。くぼみの少なくとも１つが、丸められた部分で結合する２つの平行な側を有する。くぼみの少なくとも１つは、ボディの外面に配置されている。くぼみの少なくとも１つが、圧による変形部（swage）を有する。イニシエータのいくつかは、互いに相対的にずれている。クラッシュパターンが、セルそれぞれの面に渡って延び、ずれが、互いに隣り合う面にあるイニシエータが軸に沿ってずれているようなずれを含む。断面プロファイルが、列状に位置が定められる第１、第２、第３セルを有し、第１セルが、第１セルの対向面に第１イニシエータを有するとともに、その対向面の間の面に第２イニシエータを有し、第１イニシエータは第１エンドと隣り合い、第２イニシエータは第１エンドから離れていて、第２セルが、第２セルの対向面に第３イニシエータを有し、第３イニシエータは第１エンドと隣り合い、そして、第３セルが、第１セルの対向面に第４イニシエータを有するとともに、その対向面の間の面に第５のイニシエータを有し、第４イニシエータは第１エンドに隣り合い、第５イニシエータが第１エンドから離れている。乗り物クラッシュレールは、乗り物のフロントエンドに装着されている。フロントエンドは、少なくとも２つのクラッシュレールに装着されたバンパーシステムを備える。バンパーシステムは、乗り物クラッシュレールそれぞれの端部板に装着されており、端部板が、バンパーシステムを運転面から特定高さに位置決め可能にする。乗り物クラッシュレールは、フロントエンドにおいて直上に装着されていて、ドライブシャフトが通る開口部を有する。乗り物クラッシュレールは、乗り物サブフレームを保持するように構成されている。ボディは、アルミ押出し成形部を有することを特徴とする請求項１に記載の乗り物クラッシュレール。断面プロファイルは、列状に位置が定められる第１、第２、第３セルを有する。クラッシュパターンは、乗り物クラッシュレールの長さを通じて共通の変形モードを備える。変形モードは、ボディにおいて内側変形と外側変形の交互部分を有することを特徴とする請求項１６に記載の乗り物クラッシュレール内側変形と外側変形が、クラッシュセクションにおいて現れ、第１のクラッシュセクションが、乗り物クラッシュレールの各側面に、２つの内側変形とその間に１つの外側変形とを有し、第１のクラッシュセクションの隣の第２のクラッシュセクションが、乗り物クラッシュレールの各側面に、２つの外側変形とその間に１つの内側変形とを有する。
【図面の簡単な説明】
【０００４】
【図１】乗り物クラッシュレールの一例を示した図である。
【図２】図１のクラッシュレールの２つの実例をもつ乗り物フロントエンドを示した図である。
【図３】図１からクラッシュ状態になったときの乗り物クラッシュレールの一例を示した図である。
【発明を実施するための形態】
【０００５】
本文は、乗り物内のクラッシュレールセクションを提供するシステムおよび技術の一例を述べている。クラッシュレールは、３つの実質的四角形状であるセルをもつ断面プロファイルを備えることができ、衝突が生じたときに部分的あるいは全体的にレールを崩壊させるクラッシュパターンを提供する１つもしくは複数のイニシエータ（惹起部）を備えるように構成することができる。
【０００６】
図１は、乗り物のクラッシュレール１００の一例を示す。クラッシュレールは、この例では、限定の意図はないがアルミニウム押出しを含む押し出し成型によって製造された細長いボディ１０２を備えている。本実施では、クラッシュレールは、乗り物のフロントエンドに装着することが意図されており、そこではクラッシュレールがフロントの衝撃保護システムの一部を形成する。例えばそのようなシステムは、乗り物のフロントエンドがものとぶつかる、あるいは何かがフロント側から乗り物に当たるときの保護を提供する。
【０００７】
他の実施では、乗り物のクラッシュレールは、乗り物のフロントエンド以外の部分も加えて、あるいはフロントエンドの代わりに使用することができる。例えば、限定しない意図で、クラッシュレールは、後方あるいは１つもしくは複数のサイドに配置することができる。
【０００８】
乗り物のクラッシュレール１００は、少なくともその長さに対して断面プロファイルを有する。本例では、断面プロファイルは、３つの内部セル１０６Ａ−１０６Ｃを備えたクラッシュレールを提供する。すなわち、本実施のクラッシュレールは、セルによって特有の構造を備えた部分的中空状内部を備える。本実施では、各セルが実質的に四角形状になっている。例えば、セル１０６Ａは、ここでは４つの内側に向かい合った面１０８Ａ−１０８Ｄによって規定され、各面は実質的に互いに同じ幅をもつ。
対向面１０８Ａ、１０８Ｃは、ここでは実質的に互いに平行であって、対向面１０８Ｂ、１０８Ｄが実質的に互いに平行である。対向面１０８Ａ−１０８Ｄの任意の隣り合う  コーナー部分は、より堅固で耐久性のある構造を提供するように、丸められた形状を有する。
【０００９】
クラッシュレールに３つのセル１０６Ａ−１０６Ｃをもつことは、折り曲げられるときの横方向曲げ軸周りの安定性に役立ち、また、クラッシュ保護システムの一部である他のコンポーネントの柔軟な配置を可能とする。それらの例を以下で述べる。他の例として、断面プロファイル１０４における壁の厚さを、乗り物の重量および／またはエネルギー吸収に必要な条件などに基づき、特定の実装に対して選択することができる。
【００１０】
本実施では、乗り物クラッシュレール１００はリアエンド１１０およびフロントエンド１１２を備える。一般的に、フロントエンドとリアエンド間の長手軸は、衝突があるとクラッシュレールが部分的あるいは全体的に崩壊する方向に対応する。ここでは、乗り物内でクラッシュレールが隣接する他の構造物の形状を確保するように、リアエンドが切り抜き部分１１４を備える。
【００１１】
乗り物クラッシュレール１００のライン１１６は、ここでは単に例示目的のために設けられている。ラインは、クラッシュレールの外部の特徴（ここではフロントエンド１１２）と内部の特徴（ここでは断面プロファイル１０４）との例示部分の境界を印す。乗り物クラッシュレール１００が実装された場合、フロントエンドにここで示される外観は、残りのクラッシュレールの途中部分まであるいは全部に渡って続いている。
【００１２】
乗り物クラッシュレール１００は、フロントエンド１１２に端部板１１８を備えている。いくつかの実装では、端部板１１８は、３つのセル１０６Ａ−１０６Ｃによって形成される開口部に装着されるように、概して平らな部材で構成することができる。例えば端部板は、少なくとも１つのセルの開口部の内部に適合するように構成された少なくとも１つのフランジを備えている。端部板は、ボルトあるいは他の固定具用の１つもしくは複数の穴１２０などによって、端部板に装着される他の乗り物コンポーネントを備えるように構成することができる。
【００１３】
乗り物クラッシュレール１００は、クラッシュレールに対し特定のクラッシュパターンを開始させるように構成された１つもしくは複数のイニシエータ１２２を備えている。イニシエータは、クラッシュレール内のクラックを発生させるリスクを抑えながら、折り曲げの自然周波数を引き起こすことによってそうすることができる。折り曲げの自然周波数、すなわち、一つの折り曲げの波長は、セル壁の厚さ、セル壁の幅そして素材パラメータの間の関係によって与えられる。例えば、１つもしくは複数のイニシエータの存在は、イニシエータがないときと比べより小さな力のレベルでクラッシュ／折り曲げを開始させることができる。イニシエータは、クラッシュが開始すると予想される箇所（ここではフロントエンド）において、クラッシュレールの端近くに位置決めされている。
【００１４】
いくつかの実装では、１つもしくは複数のイニシエータは、圧力によるへこみ部分（swage）あるいは他のくぼみ部（indentation）を、クラッシュレール本体に備えている。例えば、そのようなくぼみ部は、クラッシュレールの外側および／または内側に設けることが可能である。本実装では、くぼみ部は概ね楕円形状をもつ。例えば、くぼみ部の２つの側は、互いに実質平行であり、丸められた部分によって結ばれている。
【００１５】
イニシエータ１２２は、ずらした状態で配置することができる。例えば、イニシエータ１２２Ａ、１２２Ｂは、セル１０６Ａの２つの隣り合う外面上に配置されている。さらに、イニシエータ１２２Ａ、１２２Ｂは、互いにずれており、イニシエータ１２２Ａはイニシエータ１２２Ｂよりも端部板１１８から離れている。
【００１６】
同様に、イニシエータ１２２Ｃは、イニシエータ１２２Ｄが位置するセル１０６Ｃの外面に隣接するセル１０６Ｂの外面に位置している。例えば、クラッシュレールに沿ってずれているイニシエータの相対的位置は、自然な折り曲げの波長の半分から導かれる距離によって与えられる。またイニシエータ１２２Ｃ、１２２Ｄは、互いに他のイニシエータに関してずれており、イニシエータ１２２Ｃは、イニシエータ１２２Ｄよりも端部板１１８から離れている。本例では、イニシエータ１２２Ａ、１２２Ｃは、端部板からおよそ同じ（より長い）距離に位置し、イニシエータ１２２Ｃ、１２２Ｄは、端部板からおよそ同じ（より短い）距離に位置している。
【００１７】
この図では見えない乗り物クラッシュレール１００の外面部分にも、１つあるいは複数のイニシエータをもつことができる。例えば、イニシエータ１２２Ｂに応じたイニシエータを、セル１０６Ａの反対側に位置する外面に配置することができる。そのようなイニシエータは、イニシエータ１２２Ｂと同じずれをもつことが可能であり、ここでは端部板１１８に対してより近い。他の例では、イニシエータ１２２Ｃに応じたイニシエータを、セル１０６Ｂの反対側外面に配置することが可能である。そのようなイニシエータは、イニシエータ１２２Ｃと同じずれをもつことが可能であり、ここでは端部板１１８に対してより遠い。似たようにして、イニシエータ１２２Ａ〜１２２Ｄに応じたイニシエータを、それぞれの面に対向する面に追加で、あるいは代わりに配置することができる。
【００１８】
図２は、図１のクラッシュレールの２つの実例を備えた乗り物フロントエンド２００の一例を示す。本実施では、クラッシュレールは、乗り物フレームシステムの前方拡張部分としての役割を果たす。例えばクラッシュレールは、システム上に装備されるバンパーシステム２０２を備える、ここでは、バンパーシステムは、各クラッシュレールに装着されるクラッシュ缶（cans）２０４と、クラッシュ缶に装着されるバンパービーム２０６をそれぞれ備えている。乗り物のボディ色および／または表面装飾にマッチするバンド（fascia）あるいはその他の外観要素など、ここでは図示しない不随的な要素が、適宜パンパ―システムの一部となることができる。
【００１９】
乗り物クラッシュレール１００は、バンパーシステム２０２などバンパー要素の柔軟な配置を提供することができる。いくつかの実施では、端部板１１８はクラッシュ缶２０４あるいは他の要素の代替的な位置決め方法をいくつか提供することができる。例えば、２つの異なる車両モデル（例えば、セダンとＳＵＶ）は、フロントエンドの前輪および／または他の面において異なったサイズをもち、他のモデルよりも地面からより高いあるいはより低いクラッシュレールをもつモデルの一方に導くことができる。しかしながら、前方を向くバンパー（ここではバンパービーム２０６）は、例えば規則あるいは他の安全様式のため、両モデルにおいて同じ地面からの高さに位置決めする必要がある。それに応じて、（例えば、端部板１１８の異なった位置決め方法による）クラッシュレール上のクラッシュ缶は、役に立つ柔軟性を提供することができる。
【００２０】
本例では、乗り物フロントエンド２００はまた、１つまたは複数のドライブシャフト２１０によって乗り物前輪のけん引力を与えるフロントモータ２０８を特徴としている。フロントモータは、任意の適当な技術によって動作することができる。いくつかの実施では、フロントモータは、再充電可能な電池（例えばリチウムイオン電池）のバッテリーパックなど、乗り物内のエネルギー貯蔵部によって電力供給される電気モータである。例えば、フロントモータは、乗り物後輪を駆動するように構成された他のモータとペアにすることができる。
【００２１】
ここで簡潔に図１、２両方を参照すると、乗り物クラッシュレール１００は、衝突が発生したときに生じる力の経路をドライブシャフト２１０が通ることを可能にし、これによって通常の乗り物運転とクラッシュに対する安全性を両方収容することができる。いくつかの実施では、クラッシュレールの切り抜き部１１４は、ドライブシャフトが通る開口部２１２の形成を容易にする。例えばこれは、クラッシュレールに隣接し、押しつぶされる時の力がドライブシャフト周りを通って、乗り物のより後方にある指定された構造物（例えば、トルクボックス）に衝撃を与えることを可能にするアダプターコンポーネント２１４によって実現することができる。クラッシュレールは、セル１０６Ａ−１０６Ｃの少なくとも１つ（例えばセル１０６Ａ）がクラッシュレールの端（例えば、開口部２１２を超えたところ）まで延び、セルの少なくとも他の１つ（例えば、セル１０６Ｂ、１０６Ｃ）が開口部よりも前で終端となっている（例えば、アダプターコンポーネントの前）。
【００２２】
乗り物クラッシュレール１００の他の面は、サブフレーム２１６に対する１つの取り付け箇所として機能することである。例えば、サブフレームを、限定する意図なく、ステアリングコンポーネント（例えばステアリングラック）、ポンプおよび／またはコンプレッサーを含む乗り物の運転に必要とされるコンポーネントを保持するように構成することができる。通常の乗り物運転のとき、サブフレームの少なくとも１つの部分（例えばフロント）を、クラッシュレールによって所定の位置に保持することが可能である。衝突の際、クラッシュレールは、制御された押しつぶしを受けるだけでなく、そこに装着されるコンポーネントのクラッシュ時の衝撃を抑えるように、サブフレームの望ましい変形を容易にすることができる。例えば、クラッシュレールは、サブフレームがクラッシュレールへの取り付けから自由になることでそうすることが可能であり、これによってサブフレームの下方への変形を許す。
【００２３】
図３は、図１の乗り物クラッシュレール１００が押しつぶされた状態での一例を示す。ここではクラッシュレールはフロントエンドの端部板なしで図示し、クラッシュレール内部の一部が見えている。押しつぶされた状態は、フロントエンドで衝突した後のクラッシュレールの様子を例示している。
【００２４】
この例示において、フロントからの衝突力は、乗り物クラッシュレール１００の一部にクラッシュパターン３００を生じさせる。この例でのクラッシュパターンは、相対的に短い波長の折り畳みを見せている。例えばこれは、受けた力の振動を減少させ、および／または力のピークに対する吸収エネルギーの相対的に高い割合を提供するのに役立つ。さらに、クラッシュパターンは、フロントエンド１１２から始まってリアエンド１１０に向けて途中まで延びる部分全体を通じて本質的に同じように見える。すなわち、ここでのクラッシュレールは、連続的な力を受けたならばクラッシュパターンがクラッシュレールの端までずっと続くように、構成されている。
【００２５】
クラッシュパターンは、上述した物理的次元および材料によって与えられる。イニシエータは、折り畳みがロバストな方法でこの一次折り畳みモードで開始されることを確実にする。すなわち、イニシエータの形状、向きおよび／または配置パターンが、クラッシュパターンによる変形をクラッシュレールに生じさせることができる。これは、破損のリスクを低減するとともに、折り畳み過程によって導かれる振動力において力のピークにより近い、折り畳みを開始させるための最初のピーク力を下げることができる。
【００２６】
本例では、クラッシュパターンは、内部変形３０２と外部変形３０４とが交互に現れる部分を含む。すなわち、クラッシュパターンは、互いに隣接して生じる多数のクラッシュセクション３０６をもつように現れる。クラッシュレールの側（すなわち、イニシエータ１２２Ｂ−１２２Ｄが位置する図１の外面）を参照すると、クラックセクションの１つは、２つの外部変形をもちながらその間に１つの内部変形をもつことができる。他の例（再び、クラッシュレールの側に関して挙げる）では、クラッシュセクションの１つは、２つの内部変形をもちながらその間に１つの外部変形をもつことができる。
【００２７】
他の実施では、イニシエータの形状、向きおよび／または配置パターンが、他のクラッシュパターンを伴うクラッシュレールを提供することができる。例えば、イニシエータの数、サイズあるいは深さ、および／またはイニシエータ間の相対的ずれを変えることができる、
【００２８】
数々の実施は例として記載してきた。にもかかわらず、他の実装は以下のクレームによってカバーされる。
【図１】
2019011053.tif 000003
【図２】
2019011053.tif 000004
【図３】
2019011053.tif 000005
【手続補正書】
【提出日】平成30年9月27日(2018.9.27)
【手続補正１】
【補正対象書類名】特許請求の範囲
【補正対象項目名】全文
【補正方法】変更
【補正の内容】
【特許請求の範囲】
【請求項１】
第１エンドと第２エンドとの間の軸に沿って少なくとも部分的に押しつぶされるように構成されるボディを備え、
前記ボディが、実質的に四角形状の第１、第２、第３セルを備える断面プロファイルを有し、
前記ボディが、直上に搭載され、
前記第１、第２、第３セルが、前記断面プロファイルの縦方向に沿って列状に位置が定められており、
前記第１、第２、第３セルの少なくとも１つが、第１エンドから第２エンドまで延び、
前記第１、第２、第３セルが、それぞれ、クラッシュパターンに従って配置された、くぼみ（indentation）であるイニシエータを備え、
前記第１、第２、第３セルが、前記ボディの縦方向の同一外面に、それぞれ前記くぼみを設けていることを特徴とする乗り物クラッシュレール。
【請求項２】
前記第１、第２、第３セルのくぼみが、互いに相対的にずれていることを特徴とする請求項１に記載の乗り物クラッシュレール。
【請求項３】
前記くぼみの少なくとも１つが、丸められた部分で結合する２つの平行な側を有することを特徴とする請求項１に記載の乗り物クラッシュレール。
【請求項４】
前記第１セルが、隣り合う外面それぞれに前記くぼみを設けていることを特徴とする請求項１に記載の乗り物クラッシュレール。
【請求項５】
前記くぼみの少なくとも１つが、圧による変形部（swage）を有することを特徴とする請求項１に記載の乗り物クラッシュレール。
【請求項６】
前記第２セルのくぼみが、前記第１、第３セルのくぼみよりも前記第１エンドから離れていることを特徴とする請求項１に記載の乗り物クラッシュレール。
【請求項７】
前記クラッシュパターンが、セルそれぞれの面に渡って延び、
前記ずれが、互いに隣り合う面にあるイニシエータが軸に沿ってずれているようなずれを含むことを特徴とする請求項２に記載の乗り物クラッシュレール。
【請求項８】
前記断面プロファイルが、列状に位置が定められる前記第１、第２、第３セルを有し、
前記第１セルが、前記第１セルの対向面に第１イニシエータを有するとともに、その対向面の間の面に第２イニシエータを有し、前記第１イニシエータは前記第１エンドと隣り合い、前記第２イニシエータは前記第１エンドから離れていて、
前記第２セルが、前記第２セルの対向面に第３イニシエータを有し、前記第３イニシエータは前記第１エンドと隣り合い、そして、
前記第３セルが、前記第１セルの対向面に第４イニシエータを有するとともに、その対向面の間の面に第５のイニシエータを有し、前記第４イニシエータは前記第１エンドに隣り合い、前記第５イニシエータが前記第１エンドから離れていることを特徴とする請求項７に記載の乗り物クラッシュレール。
【請求項９】
乗り物のフロントエンドに装着されていることを特徴とする請求項１に記載の乗り物クラッシュレール。
【請求項１０】
前記フロントエンドが、少なくとも２つのクラッシュレールに装着されたバンパーシステムを備えることを特徴とする請求項９に記載の乗り物クラッシュレール。
【請求項１１】
前記バンパーシステムが、前記乗り物クラッシュレールそれぞれの端部板に装着されており、前記端部板が、前記バンパーシステムを運転面から特定高さに位置決め可能にすることを特徴とする請求項１０に記載の乗り物クラッシュレール。
【請求項１２】
前記フロントエンドにおいて直上に装着されていて、ドライブシャフトが通る開口部を有することを特徴とする請求項９に記載の乗り物クラッシュレール。
【請求項１３】
乗り物サブフレームを保持するように構成されていることを特徴とする請求項９に記載の乗り物クラッシュレール。
【請求項１４】
前記ボディが、アルミ押出し成形部を有することを特徴とする請求項１に記載の乗り物クラッシュレール。
【請求項１５】
前記ボディが、乗り物のバンパービームに装着されたクラッシュ缶に装着されていることを特徴とする請求項１に記載の乗り物クラッシュレール。
【請求項１６】
前記クラッシュパターンが、前記乗り物クラッシュレールの長さを通じて共通の変形モードを備えることを特徴とする請求項１に記載の乗り物クラッシュレール。
【請求項１７】
前記変形モードが、前記ボディにおいて内側変形と外側変形の交互部分を有することを特徴とする請求項１６に記載の乗り物クラッシュレール。
【請求項１８】
前記内側変形と前記外側変形が、クラッシュセクションにおいて現れ、
第１のクラッシュセクションが、前記乗り物クラッシュレールの各側面に、２つの内側変形とその間に１つの外側変形とを有し、
前記第１のクラッシュセクションの隣の第２のクラッシュセクションが、前記乗り物クラッシュレールの各側面に、２つの外側変形とその間に１つの内側変形とを有することを特徴とする請求項１７に記載の乗り物クラッシュレール。
【手続補正２】
【補正対象書類名】明細書
【補正対象項目名】０００２
【補正方法】変更
【補正の内容】
【０００２】
第１の側面では、乗り物クラッシュレールは、第１エンドと第２エンドとの間の軸に沿って少なくとも部分的に押しつぶされるように構成されるボディを備え、ボディが、ボディが、直上に搭載され、実質的に四角形状の第１、第２、第３セルを備える断面プロファイルを有し、第１、第２、第３セルが、断面プロファイルの縦方向に沿って列状に位置が定められており、第１、第２、第３セルの少なくとも１つが、第１エンドから第２エンドまで延び、第１、第２、第３セルが、それぞれ、乗り物クラッシュレールに対するクラッシュパターンに従って配置された、くぼみであるイニシエータを備える。第１、第２、第３セルは、ボディの縦方向の同一外面に、それぞれくぼみを設けている。
【手続補正３】
【補正対象書類名】明細書
【補正対象項目名】０００３
【補正方法】変更
【補正の内容】
【０００３】
実施は、以下の任意あるいはすべての特徴を備えることできる。イニシエータは、ボディにくぼみ（indentation）を備える。くぼみの少なくとも１つが、丸められた部分で結合する２つの平行な側を有する。くぼみの少なくとも１つは、ボディの外面に配置されている。くぼみの少なくとも１つが、圧による変形部（swage）を有する。イニシエータのいくつかは、互いに相対的にずれている。第１セルは、隣り合う外面それぞれに前記くぼみを設けている。第２セルのくぼみが、前記第１、第３セルのくぼみよりも前記第１エンドから離れているクラッシュパターンが、セルそれぞれの面に渡って延び、ずれが、互いに隣り合う面にあるイニシエータが軸に沿ってずれているようなずれを含む。断面プロファイルが、列状に位置が定められる第１、第２、第３セルを有し、第１セルが、第１セルの対向面に第１イニシエータを有するとともに、その対向面の間の面に第２イニシエータを有し、第１イニシエータは第１エンドと隣り合い、第２イニシエータは第１エンドから離れていて、第２セルが、第２セルの対向面に第３イニシエータを有し、第３イニシエータは第１エンドと隣り合い、そして、第３セルが、第１セルの対向面に第４イニシエータを有するとともに、その対向面の間の面に第５のイニシエータを有し、第４イニシエータは第１エンドに隣り合い、第５イニシエータが第１エンドから離れている。乗り物クラッシュレールは、乗り物のフロントエンドに装着されている。フロントエンドは、少なくとも２つのクラッシュレールに装着されたバンパーシステムを備える。バンパーシステムは、乗り物クラッシュレールそれぞれの端部板に装着されており、端部板が、バンパーシステムを運転面から特定高さに位置決め可能にする。乗り物クラッシュレールは、フロントエンドにおいて直上に装着されていて、ドライブシャフトが通る開口部を有する。乗り物クラッシュレールは、乗り物サブフレームを保持するように構成されている。ボディは、アルミ押出し成形部を有する。ボディが、乗り物のバンパービームに装着されたクラッシュ缶に装着されている。クラッシュパターンは、乗り物クラッシュレールの長さを通じて共通の変形モードを備える。変形モードは、ボディにおいて内側変形と外側変形の交互部分を有することを特徴とする請求項１６に記載の乗り物クラッシュレール内側変形と外側変形が、クラッシュセクションにおいて現れ、第１のクラッシュセクションが、乗り物クラッシュレールの各側面に、２つの内側変形とその間に１つの外側変形とを有し、第１のクラッシュセクションの隣の第２のクラッシュセクションが、乗り物クラッシュレールの各側面に、２つの外側変形とその間に１つの内側変形とを有する。